(57)【要約】【課題】周波数拡散によるＥＭＩ対策を行うことができ、かつ表示不良の発生を抑えることができる表示装置の駆動方法を提供する。【解決方法】基準クロック信号と該基準クロック信号に同期する入力画像信号が入力され、前記基準クロック信号の周波数を所定の変動周期で連続的に変動させて周波数拡散クロック信号を生成するとともに、前記入力画像信号に基づいて前記各絵素に書き込まれるソース信号を生成し、前記周波数拡散クロック信号に同期する所定の水平走査周期で前記各絵素を行ごとに順次選択して前記表示信号を書き込む表示装置の駆動方法であって、前記周波数拡散クロック信号の前記変動周期と前記水平走査周期とを同期させる。【選択図】  図２
2008216606.tif 000002
【特許請求の範囲】
【請求項１】
多数の絵素がマトリクス状に配置されてなる表示画面を備えた表示装置に基準クロック信号と入力画像信号が入力され、前記基準クロック信号の周波数を所定の変動周期で連続的に変動させて周波数拡散クロック信号を生成するとともに、前記入力画像信号に基づいて前記各絵素に書き込まれる表示信号を生成し、前記周波数拡散クロック信号に同期する所定の水平走査周期で前記各絵素を行ごとに順次選択して前記表示信号を書き込む表示装置の駆動方法であって、
前記周波数拡散クロック信号の前記変動周期と前記水平走査周期とを同期させることを特徴とする表示装置の駆動方法。
【請求項２】
前記水平走査周期１周期分における前記周波数拡散クロック信号のクロック数が、前記周波数拡散クロック信号の変動周期の１周期分におけるクロック数の整数倍であることを特徴とする請求項１に記載の表示装置の駆動方法。
【請求項３】
前記周波数拡散クロック信号のクロック数が所定の値に達したら、前記周波数拡散クロック信号の周波数の変動をリセットすることを特徴とする請求項１に記載の表示装置の駆動方法。
【請求項４】
前記周波数拡散クロック信号の周波数の前記変動周期と、前記各絵素を行ごとに順次選択して前記表示信号を書き込む前記水平走査周期とのずれを検知して、前記変動周期と前記水平走査周期とが同期するように前記変動周期および／または前記水平走査周期を補正することを特徴とする請求項１から３のいずれかに記載の表示装置の駆動方法。
【請求項５】
前記表示装置が、液晶表示装置であることを特徴とする請求項１から４のいずれかに記載の表示装置の駆動方法。
【請求項６】
請求項１から５のいずれかに記載の表示装置の駆動方法を用いて駆動されることを特徴とする表示装置。
【請求項７】
基準クロック信号および入力画像信号が入力され、この入力画像信号に応じた画像を、多数の絵素がマトリクス状に配置された表示画面に表示する表示装置であって、
前記基準クロック信号の周波数を所定の周期で連続的に変動させて周波数拡散クロック信号を生成する周波数拡散クロック信号生成部と、
前記入力画像信号に基づいて前記表示画面の各絵素に書き込まれる表示信号を生成する表示信号生成部と、
前記周波数拡散クロック信号に同期する所定の水平走査周期で前記各絵素を行ごとに順次選択する走査信号を生成する走査信号生成部とを備え、
該周波数拡散クロック信号の周波数が変動する前記変動周期と、前記各絵素を行ごとに順次選択する水平走査周期とを同期させることを特徴とする表示装置。
【請求項８】
前記走査信号生成部は、前記周波数拡散クロック信号の前記変動周期の１周期分のクロック数が前記水平走査周期の１周期分のクロック数の整数倍になるように走査信号を生成することを特徴とする請求項７に記載の表示装置。
【請求項９】
周波数拡散クロック信号生成部は、前記周波数拡散クロック信号のクロック数が、前記表示装置の前記水平走査周期の１周期分のクロック数に達したら前記周波数拡散クロック信号の周波数の変動をリセットすることを特徴とする請求項７に記載の表示装置。
【請求項１０】
前記周波数拡散クロック信号の周波数が変動する前記変動周期と、前記水平走査周期とのずれを検知する同期ズレ検知部をさらに備え、
前記走査信号生成部が、前記同期ズレ検知部により検知されたズレに基づき前記変動周期と、前記水平走査周期とが同期するように前記周波数拡散クロック信号および／または走査信号を補正することを特徴とする請求項７から９のいずれかに記載の表示装置。
【請求項１１】
前記表示信号生成部と、走査信号生成部とが同一のＡＳＩＣ（特定用途向け集積回路）に内蔵されていることを特徴とする請求項７から１０のいずれかに記載の表示装置。
【請求項１２】
さらに周波数拡散クロック生成部がＡＳＩＣ（特定用途向け集積回路）に内蔵されていることを特徴とする請求項１１に記載の表示装置。
【請求項１３】
対をなす透明基板間に液晶が保持されてなる液晶表示パネルが、前記表示画面を構成するものであることを特徴とする請求項７から１２のいずれかに記載の表示装置。
【請求項１４】
放送電波を受信する受信手段と、該受信手段により受信された放送電波の放送内容を表示する表示手段とを備えてなるテレビジョン受像機であって、この表示手段として請求項６から１３のいずれかに記載の表示装置が備えられていることを特徴とするテレビジョン受像機。
【発明の詳細な説明】
【技術分野】
【０００１】
本発明は、表示装置の駆動方法、表示装置およびテレビジョン受像機に関するものであり、特に電磁障害（ＥＭＩ）対策に適した表示装置の駆動方法および表示装置またこのような表示装置を備えるテレビジョン受像器に関するものである。
【背景技術】
【０００２】
近年、コンピュータやテレビなどの電気製品の表示部として、たとえば液晶表示装置などの平面型の表示装置が広く用いられている。
【０００３】
このような液晶表示装置は一般に多数の絵素がマトリクス状に配置されてなる表示画面を備えており、入力されるクロック信号と、このクロック信号に同期する画像信号に基づいて表示画面に順次画像を表示させるものである。この表示画面にマトリクス状に配置された各絵素は、同じく表示画面内に縦横に配置された多数のゲート配線と多数のソース配線に接続されている。これらのゲート配線にゲート電圧が印加され、各ゲート配線に接続された１行分の絵素が選択され、この選択されている絵素にソース配線を介してソース電圧が印加される。
【０００４】
なお、以下の説明において、表示画面の、ある行が選択されてから次に別の行が選択されるまでの期間を水平走査期間または水平走査周期といい、表示画面のある行が選択されて次にまた同じ行が選択されるまでの期間を垂直走査期間または垂直走査周期という。そしてそれぞれの逆数を水平走査周波数および垂直走査周波数という。
【０００５】
図１１に、このような液晶表示装置の１絵素分の等価回路を示す。各絵素１００は、絵素電極１０２と対向電極１０４との間に液晶が充填されてなる液晶容量ＣＣＬと、この液晶容量ＣＣＬに接続されたスイッチング素子である薄膜トランジスタ（ＴＦＴ）１０６とを備えている。ＴＦＴ１０６のゲート電極１０６Ｇはゲート配線１０８Ｇに、ソース電極１０６Ｓはソース配線１０８Ｓに、ドレイン電極１０６Ｄは絵素電極１０２に接続されている。このＴＦＴ１０６に印加されるゲート電圧Ｖｇ１がハイになっている間（以下、書き込み期間と称する。）は、ＴＦＴ１０６がオン状態になりソース電圧Ｖｓ１が絵素電極１０２に印加されて絵素電極１０２の電圧Ｖｐが変化し、液晶容量ＣＣＬが充電される。そして、所定の水平走査期間ＴＨ１が経過した後に次のゲート配線１０８Ｇ’のゲート電圧Ｖｇ２がハイになってそのゲート配線１０８Ｇ’に接続された絵素にソース電圧が印加される。このようにして表示画面上の各絵素を行（一のゲート配線に接続された絵素の群）毎に順次選択してソース電圧Ｖｓを印加する。このようにして絵素電極１０２の電圧Ｖｐと対向電極１０４の電圧Ｖｃｏｍとの間の電位差によってに生じる電界で液晶を配向させて各絵素の透過率を調整して表示画面に映像を表示させる。
【０００６】
従来このような表示装置は、発振精度の高い水晶発振器などのクロックによって生成されたクロック信号を用いて、各部の動作制御等が行われてきた。しかし、表示装置の高精細化などによりその回路規模が大きくなり、これに伴い表示装置の動作時に発生する放射電磁波のレベルが高くなる傾向にある。また、近年、このような放射電磁波による電磁障害（ＥＭＩ）の抑制を求める規制が年々厳しくなっている。
【０００７】
そこで、放射電磁波を各国の規格に適合させるためのＥＭＩ対策手段として、クロック信号の周波数を故意に変動させる周波数拡散技術が適用されている。この周波数拡散技術は、クロック信号の周波数を周期的に連続的に変化させることによって放射電磁波のスペクトルを分散させてそのピークを低下させるというものである。
【０００８】
特許文献１に記載の画像表示装置は、このような周波数拡散技術を画像表示装置に適用し、周波数拡散されたクロック信号に基づいて画像表示装置に設けられたデバイスを駆動することで放射電磁波のピークを抑えてＥＭＩ対策を行うというものである。また、特許文献２に記載の画像形成装置は、基準クロック信号を変調して周波数拡散し、この周波数拡散クロック信号を伝送することでＥＭＩノイズを抑制するとともに、タイミングを厳密に一致させる必要がある所定のデバイスでは周波数拡散クロック信号を復調回路によって基準クロック信号に復調するというものである。
【０００９】
【特許文献１】特開２００６−１５４８２０号公報
【特許文献２】特開２００３−３３２９９７号公報
【発明の開示】
【発明が解決しようとする課題】
【００１０】
しかしながら、液晶表示装置を周波数拡散されたクロック信号に同期させて駆動すると、次のような問題が生じうる。例えば、図１２に示すように、クロック信号ＣＫの周波数ｆが常に一定ならば、各水平走査期間ＴＨ１，ＴＨ２，ＴＨ３に同じクロック数が含まれるときは、それぞれの水平走査期間ＴＨ１，ＴＨ２，ＴＨ３も同じ時間になる。しかしながら、周波数ｆｓｓが変動するクロック信号ＳＳ−ＣＫの場合、１水平走査期間に含まれるクロック数が同じだとしても、それぞれの水平走査期間ＴＨ１，ＴＨ２，ＴＨ３の時間は異なる。つまり、クロック信号の周波数ｆｓｓが変動するのに伴って水平走査期間ＴＨ１，ＴＨ２，ＴＨ３が変動するため、各絵素のＴＦＴに印加されるゲート電圧がハイになりＴＦＴがオン状態になる書き込み期間Ｔｏｎにばらつきが生じる。そうすると、液晶容量に充電される電荷の量に微小なばらつきが生じうる。
【００１１】
例えば、垂直走査周波数が通常のテレビジョン放送のように６０Ｈｚなど比較的低い場合は、書き込み期間を十分長く設定することができる。したがって液晶容量に充電される電荷量が多く、このような場合には、書き込み期間が多少ばらついたとしても、それによる電荷量の差は表示画面上で視認できるほどの輝度差にはなりにくい。
【００１２】
しかし、例えば液晶表示装置の動画表示の性能を向上させるために、垂直走査周波数１／Ｔｖを高くして駆動する場合には、書き込み期間Ｔｏｎを比較的短く設定せざるを得ない。このように書き込み期間Ｔｏｎが短く設定されているときは、書き込み期間Ｔｏｎに微小なばらつきがあると、それによる電荷量の差が表示画面上に輝度差となって現れやすくなる。
【００１３】
また、このクロック信号の周波数拡散による書き込み期間Ｔｏｎのばらつきは、クロック周波数ｆｓｓの変動と同期して生じるために、表示画面上では輝度ムラが上下に流れるように表示されることとなる。
【００１４】
したがって、このクロック信号の周波数拡散により生じる輝度差は、その輝度ムラが静止して表示されている場合にはほとんど視認することができないレベルのものであっても、輝度ムラが静止せず移動する場合は視認されやすくなり、表示品位を低下させる一因となる。                                            
【００１５】
そこで、本発明が解決しようとする課題は、周波数拡散によるＥＭＩ対策を行うことができ、かつ表示不良の発生を抑えることができる表示装置の駆動方法を提供することにある。また、このような表示装置およびこのような表示装置を備えるテレビジョン受像機を提供することにある。
【課題を解決するための手段】
【００１６】
上述した課題を解決するため、本発明は、多数の絵素がマトリクス状に配置されてなる表示画面を備えた表示装置に基準クロック信号と入力画像信号が入力され、前記基準クロック信号の周波数を所定の変動周期で連続的に変動させて周波数拡散クロック信号を生成するとともに、前記入力画像信号に基づいて前記各絵素に書き込まれる表示信号を生成し、前記周波数拡散クロック信号に同期する所定の水平走査周期で前記各絵素を行ごとに順次選択して前記表示信号を書き込む表示装置の駆動方法であって、前記周波数拡散クロック信号の前記変動周期と前記水平走査周期とを同期させることを要旨とするものである。
【００１７】
また、本発明の表示装置は  基準クロック信号および入力画像信号が入力され、この入力画像信号に応じた画像を、多数の絵素がマトリクス状に配置された表示画面に表示する表示装置であって、前記基準クロック信号の周波数を所定の周期で連続的に変動させて周波数拡散クロック信号を生成する周波数拡散クロック信号生成部と、前記入力画像信号に基づいて前記表示画面の各絵素に書き込まれる表示信号を生成する表示信号生成部と、前記周波数拡散クロック信号に同期する所定の水平走査周期で前記各絵素を行ごとに順次選択する走査信号を生成する走査信号生成部とを備え、該周波数拡散クロック信号の周波数が変動する前記変動周期と、前記各絵素を行ごとに順次選択する水平走査周期とを同期させることを要旨とするものである。
【００１８】
そして、このような表示装置をテレビジョン受像機にに適用することができる。
【発明の効果】
【００１９】
本発明によれば、表示画面上にマトリクス状に配置された多数の絵素をゲート信号により所定の水平走査周期で行ごとに順次選択して表示信号を書き込んで映像を表示させるに際し、基準クロック信号の周波数を所定の変動周期で連続的に変動させた周波数拡散クロック信号に同期して各絵素に表示信号を書き込むことで放射電磁波のスペクトルを分散させてそのピークを低下させてＥＭＩ対策を図ることができる。さらに、周波数拡散クロック信号の変動周期と水平走査周期とを同期させているので、書き込み時間のばらつきに起因する絵素の輝度ムラを抑制することができる。また、表示画面上で輝度ムラが移動するように発生する不具合を防止することができる。このようにして、周波数拡散によるＥＭＩ対策を行うことができ、かつ表示不良の発生を抑えることができる。
【発明を実施するための最良の形態】
【００２０】
以下、本発明の第１の実施形態に係る表示装置の駆動方法について、図面を参照して詳細に説明する。なお、この実施形態では本発明に係る表示装置の駆動方法をスイッチング素子として薄膜トランジスタ（ＴＦＴ）を備えたアクティブマトリクス型の液晶表示装置１に適用した例を示す。したがって、以下の説明では入力画像信号に基づいて前記表示画面の各絵素に書き込まれる表示信号をソース信号と、各絵素を行ごとに順次選択する走査信号をゲート信号と称する。また、以下の説明において、表示画面の、ある行の絵素（一の走査配線（ゲート配線）に接続された絵素の行）が選択されてから次に別の行が選択されるまでの期間を水平走査期間ＴＨまたは水平走査周期ＴＨといい、表示画面のある行が選択されて次にまた同じ行が選択されるまでの期間を垂直走査期間Ｔｖまたは垂直走査周期Ｔｖという。そしてそれぞれの逆数を水平走査周波数１／ＴＨおよび垂直走査周波数１／ＴＶという。
【００２１】
図１は、本発明の実施形態に係る表示装置の駆動方法により駆動される液晶表示装置の構成を示すブロック図である。
【００２２】
液晶表示装置１は、図１に示すように、表示画面に多数の絵素Ｐがマトリクス状に配置された液晶表示パネル１０と、この液晶表示パネル１０に接続されたゲート駆動回路１２Ｇおよびソース駆動回路１２Ｓと、これらのゲート駆動回路１２Ｇおよびソース駆動回路１２Ｓを外部から入力される基準クロック信号ＣＫおよび入力画像信号Ｄａｔａに基づいてコントロールするコントロール回路１４を備えている。液晶表示パネル１０の表示画面上にマトリクス状に配置された各絵素Ｐは同じく表示画面上に縦横に設けられたゲート配線１６Ｇおよびソース配線１６Ｓを介してゲート駆動回路１２Ｇおよびソース駆動回路１２Ｓに接続されている。さらに、コントロール回路１４には、液晶表示パネル１０の背面に配置された光源１８を駆動する光源駆動回路２０が接続されている。
【００２３】
コントロール回路１４には外部から基準クロック信号ＣＫと入力画像信号Ｄａｔａとが入力される。コントロール回路１４は、入力される基準クロック信号ＣＫの周波数を所定の変動周期で連続的に変動させて周波数拡散クロック信号ＳＳ−ＣＫを生成し（図２参照）、この周波数拡散クロック信号ＳＳ−ＣＫによりタイミングを制御して入力画像信号Ｄａｔａに基づいてゲート信号Ｇ−Ｄｒとソース信号Ｓ−Ｄｒを生成する。そしてゲート信号Ｇ−Ｄｒをゲート駆動回路１２Ｇに、ソース信号Ｓ−Ｄｒをソース駆動回路１２Ｓに入力する。ゲート駆動回路１２Ｇおよびソース駆動回路１２Ｓは、ゲート信号Ｇ−Ｄｒおよびソース信号Ｓ−Ｄｒによって指定されるタイミングでゲート電圧Ｖｇおよびソース電圧Ｖｓをゲート配線１６Ｇおよびソース配線１６Ｓに印加して各絵素Ｐを駆動する。
【００２４】
図２は、周波数拡散クロック信号ＳＳ−ＣＫの周波数ｆｓｓの変動と、液晶表示パネル１０の各ゲート配線１６Ｇに印加されるゲート電圧Ｖｇの変化のタイミングを示す図である。ここに例示した周波数拡散クロック信号ＳＳ−ＣＫは、平均８０ＭＨｚのパルス信号の周波数が９０ｋＨｚの変動周波数１／Ｔｓｓで±２％変動するというものである。すなわち、周波数拡散クロック信号ＳＳ−ＣＫの周波数ｆｓｓは９０ｋＨｚの変動周波数１／Ｔｓｓで８１．６ＭＨｚと７８．４ＭＨｚとの間において連続的に上昇下降を繰り返すというものである。したがって、この周波数拡散クロック信号ＳＳ−ＣＫは、１クロック毎に周波数ｆｓｓが変化していくものである。
【００２５】
図２に示すように、周波数拡散クロック信号ＳＳ−ＣＫの周波数の変動周期Ｔｓｓと、水平走査周期ＴＨは同期しており、水平走査期間ＴＨおよびゲート電圧Ｖｇのパルス幅（書き込み時間Ｔｏｎ）は周波数拡散クロック信号ＳＳ−ＣＫのクロック数に基づいて設定されている。表示画面の一番上に配置されている第１のゲート配線１６Ｇに印加されるゲート電圧Ｖｇ１のパルスは、周波数拡散クロック信号ＳＳ−ＣＫが８０ＭＨｚのときに立ち上がる。周波数拡散クロック信号ＳＳ−ＣＫが８０ＭＨｚから８１．６ＭＨｚまで上昇した後に７８．４ＭＨｚまで下降して再び８０ＭＨｚに戻ると、第２のゲート配線１６Ｇに印加されるゲート電圧Ｖｇ２のパルスが立ち上がる。このように、表示画面の一番下に配置されているｎ番目のゲート配線１６Ｇまで順次印加されるゲート電圧Ｖｇのパルスは、周波数拡散クロック信号ＳＳ−ＣＫの変動周期Ｔｓｓに同期して同じタイミングで（すなわち、図２に示した場合は、周波数拡散クロックＳＳ−ＣＫが８０ＭＨｚから上昇しはじめるのと同時に）印加されることになる。そうすると、各ゲート配線１６Ｇに印加されるゲート電圧Ｖｇのパルスが立ち上がってからそのパルスが立ち下がるまでの間（書き込み期間Ｔｏｎ）に含まれる周波数拡散クロック信号ＳＳ−ＣＫの周波数ｆｓｓは、常に同じように変化することになり、ゲート電圧のパルス幅（書き込み期間Ｔｏｎ）は常に同じになる。
【００２６】
図３は、この図１に示した液晶表示装置１０の１絵素分の等価回路を示す図である。図４は、この絵素Ｐの駆動時における各電圧の変化の概略を示す図である。各絵素Ｐは、図３に示すように、絵素電極２２と対向電極２４との間に液晶が充填されてなる液晶容量ＣＣＬと、この液晶容量ＣＣＬに並列に接続された補助容量Ｃｓと、これらの液晶容量ＣＣＬおよび補助容量Ｃｓに接続されたスイッチング素子である薄膜トランジスタ２６（以下ＴＦＴと称す。）とを備えている。ＴＦＴ２６のゲート電極２６Ｇはゲート配線１６Ｇに、ソース電極２６Ｓはソース配線１６Ｓに、ドレイン電極２６Ｄは絵素電極２２に接続されている。また、ソース電極２６Ｓとドレイン電極２６Ｄとの間およびドレイン電極２６Ｄとゲート電極２６Ｇの間などには寄生容量Ｃｓｄ、Ｃｇｄが発生している。
【００２７】
図４に示すように、ゲート配線１６を介してこのＴＦＴ２６のゲート電極２６Ｇに印加されるゲート電圧Ｖｇがハイになっている間（書き込み期間Ｔｏｎ）は、そのゲート配線１６Ｇに接続された絵素（１行分の絵素）が選択された状態になる。この書き込み期間Ｔｏｎの間はＴＦＴ２６がオン状態になりソース配線１６Ｓを介してソース電極２６Ｓに印加されるソース電圧Ｖｓが絵素電極２２に印加されて液晶容量ＣＣＬが充電される。
【００２８】
ゲート電圧Ｖｇが立ち下がると、液晶容量ＣＣＬが充電され、絵素電極２２の電圧Ｖｐは、ソース電圧Ｖｓ付近まで上昇する。絵素電極２２の電圧Ｖｐ寄生容量Ｃｓｄ、Ｃｇｄの影響を受けてΔＶだけレベルシフトし、次にＴＦＴ２６がオン状態になるまでその電圧Ｖｐが保持される。このように、液晶容量ＣＣＬが充電されると、絵素電極２２と対向電極２４の電圧Ｖｃｏｍとの電位差により電界が生じる。そうすると絵素電極２２と対向電極２４との間で液晶が配向して各絵素Ｐの光の透過率が制御される。液晶表示パネル１０の背面に配置された光源１８を駆動して液晶表示パネル１０を背面から照射すると、この照明光が各絵素Ｐを透過して表示画面に映像を表示させる。
【００２９】
ここで、例えば通常のテレビジョン放送をそのままの垂直走査周波数６０Ｈｚで表示する場合のように、垂直走査周波数が比較的低く、書き込み期間を充分長く確保できるときは、絵素電極電圧はソース電圧と同レベルまで上昇する。しかしながら、例えば垂直走査周波数を高く設定すると、充分長い書き込み期間Ｔｏｎを確保しづらい場合がある。
【００３０】
図４は、このように垂直走査周波数１／Ｔｖが比較的高く（例えば１２０Ｈｚなど）、書き込み期間Ｔｏｎが短い（例えば１０μｓｅｃ）場合の例を示している。このような場合、絵素電極２２の電圧Ｖｐは、ソース電圧Ｖｓと同じレベルまで達しない（例えばソース電圧Ｖｓの８０％程度）。このように、絵素電極２２の電圧Ｖｐが低いと、それぞれの絵素Ｐの輝度は暗くなる。しかし、本実施形態に係る液晶表示装置１の駆動方法によれば、周波数拡散クロック信号ＳＳ−ＣＫの変動周波数Ｔｓｓと水平走査周波数ＴＨとが同期しているので、ゲート電圧Ｖｇのパルス幅すなわち書き込み期間Ｔｏｎが常に一定である。したがって、仮にこのような輝度の低下がさけられないような場合であっても、表示画面中の全部の絵素Ｐで同じように輝度の低下が起きるので、光源１８の光量を上げるなどして表示画面上での輝度の低下をカバーすることができる。また、表示画面中の各絵素Ｐにおいて、周期的な書き込み時間Ｔｏｎのばらつきが生じ、この輝度ムラが表示画面上で移動してしまう様なことがない。したがって、表示不良のない精細な画面表示を実現することができる。
【００３１】
また、入力される基準クロック信号ＣＫを周波数拡散して生成した周波数拡散クロック信号ＳＳ−ＣＫに基づいて液晶表示装置１を制御しているので、コントロール回路１４、ゲート駆動回路１２Ｇ、ソース駆動回路１２Ｓ、液晶表示パネル１０およびこれらを接続する伝送路などから発生する放射電磁波のスペクトルを分散させて、そのピークを低下させることができる。
【００３２】
次に、上述した本発明の第１の実施形態に係る液晶表示装置の駆動方法の第１の変形例について図５を用いて説明する。図５に示すように、周波数拡散クロック信号ＳＳ−ＣＫの周波数ｆｓｓの変動周期Ｔｓｓの２周期が水平走査周期ＴＨの１周期と同期している。すなわち、１水平走査期間ＴＨに含まれる周波数拡散クロック信号ＳＳ−ＣＫのクロック数が、１変動周期Ｔｓｓに含まれるクロック数の２倍になっている。したがって、表示画面の一番上に配置されている第１のゲート配線１６Ｇに印加されるゲート電圧Ｖｇ１のパルスは、周波数拡散クロック信号ＳＳ−ＣＫの周波数が８０ＭＨｚのときに立ち上がり、周波数拡散クロック信号ＳＳ−ＣＫの周波数が２周期分変動して再び８０ＭＨｚに戻ると、次のゲート配線１６Ｇ、すなわち第２のゲート配線１６Ｇに印加されるゲート電圧Ｖｇ２のパルスが立ち上がる。このように、各ゲート配線１６Ｇに順次印加されるゲート電圧Ｖｇのパルスは、周波数拡散クロック信号ＳＳ−ＣＫの変動周期Ｔｓｓに同期して同じタイミングで印加される。そうすると、各ゲート配線１６Ｇに印加されるゲート電圧Ｖｇのパルス幅（書き込み時間Ｔｏｎ）は常に同じになる。
【００３３】
これにより、表示画面上の全ての絵素Ｐにおいて、液晶容量ＣＣＬにソース電圧Ｖｓが印加されて液晶容量ＣＣＬが充電される書き込み期間Ｔｏｎが同一になり、輝度ムラの発生を抑制することができる。また、周波数拡散クロック信号ＳＳ−ＣＫの周波数ｆｓｓの変動周期Ｔｓｓと、水平走査周期ＴＨは同期しているので、輝度ムラが表示画面上で移動してしまうようなことがない。さらに、周波数拡散クロック信号ＳＳ−ＣＫに基づいて液晶表示装置１を制御しているので、液晶表示装置１からの放射電磁波のスペクトルを分散させてそのピークを低下させ、ＥＭＩ対策を図ることができる。
【００３４】
続いて、本発明の第１の実施形態に係る液晶表示装置の駆動方法の第２の変形例について図６を用いて説明する。図６に示すように、周波数拡散クロック信号ＳＳ−ＣＫが８０ＭＨｚから上昇しはじめる時に、表示画面の一番上に配置されている第１のゲート配線１６Ｇに印加されるゲート電圧Ｖｇのパルスが立ち上がる。そして周波数拡散クロック信号の周波数ＳＳ−ＣＫは、８０ＭＨｚから８１．６ＭＨｚまで上昇した後に７８．４ＭＨｚまで下降する。そして、周波数拡散クロック信号ＳＳ−ＣＫの周波数の変動がリセットされて再び８０ＭＨｚから上昇しはじめるのと同時に、第２のゲート配線１６Ｇに印加されるゲート電圧Ｖｇのパルスが立ち上がる。１水平走査期間ＴＨに含まれる周波数拡散クロック信号ＳＳ−ＣＫのクロック数が予め定められており、クロック数がその値に達したら、周波数拡散クロック信号ＳＳ−ＣＫの周波数の変動はリセットされる。そして再び同じように変動し始めると同時にゲート電圧Ｖｇのパルスが立ち上がるため、各ゲート配線１６Ｇに印加されるゲート電圧Ｖｇのパルス幅（書き込み期間Ｔｏｎ）は常に同じになる。
【００３５】
そうすると、表示画面上の全ての絵素Ｐにおいて、液晶容量ＣＣＬにソース電圧Ｖｓが印加されて液晶容量ＣＣＬが充電される書き込み期間Ｔｏｎが同一になり、輝度ムラの発生を抑制することができる。また、周波数拡散クロック信号ＳＳ−ＣＫの周波数ｆｓｓの変動周期Ｔｓｓと、水平走査周期ＴＨは同期しているので、輝度ムラが表示画面上で移動してしまうようなことがない。さらに、周波数拡散クロック信号ＳＳ−ＣＫに基づいて液晶表示装置１を制御しているので、液晶表示装置１からの放射電磁波のスペクトルを分散させて、そのピークを低下させることができる。
【００３６】
次に、本発明の第２の実施形態に係る表示装置について図面を参照して詳細に説明する。ここでは、この表示装置として、液晶表示パネルを備えた液晶表示装置１の例を示す。この液晶表示装置１は、上記第１の実施例に示した表示装置の駆動方法を適用して駆動されるものである。したがって、上記第１の実施例で説明したものと同一のものについては同一の符号を付して詳細な説明を省略する。
【００３７】
この液晶表示装置１は、図１に示すように、液晶表示パネル１０と、この液晶表示パネル１０に接続されたゲート駆動回路１２Ｇおよびソース駆動回路１２Ｓと、これらのゲート駆動回路１２Ｇおよびソース駆動回路１２Ｓを外部から入力される基準クロック信号ＣＫおよび入力画像信号Ｄａｔａに基づいてコントロールするコントロール回路１４を備えている。さらに、コントロール回路１４には、液晶表示パネル１０の背面に配置された光源１８を駆動する光源駆動回路２０が接続されている。
【００３８】
図７は、このコントロール回路１４の構成を示すブロック図である。コントロール回路１４は、外部から入力される基準クロック信号ＣＫの周波数を所定の周期で連続的に変動させて周波数拡散クロック信号ＳＳ−ＣＫを生成する周波数拡散クロック信号生成部である周波数拡散回路３０を備え、さらに、外部から入力される入力画像信号Ｄａｔａに基づいて、ソース信号Ｓ−Ｄｒを生成するソース信号生成部と、周波数拡散クロック信号に同期するゲート信号Ｄ−Ｄｒを生成するゲート信号生成部とを有する表示制御回路３２とを備えている。
【００３９】
コントロール回路１４に入力される基準クロック信号ＣＫは、まず表示制御回路３２に入力され、周波数拡散回路３０に送られる。周波数拡散回路３０は、従来一般に用いられているものが適用できるので、詳細な説明を省略し、その一例を簡単に述べる。周波数拡散回路３０は、アップダウンカウンタ、ＤＡコンバータ、ローパスフィルタ、電圧制御可変発振器が直列に接続されてなるものである。この周波数拡散回路３０では、まず、表示制御回路３２から入力される基準クロック信号ＣＫがアップダウンカウンタに入力される。アップダウンカウンタは、例えば１変動周期を１００クロックとすると（通常、２のｎ乗に設定されるが、ここでは説明を簡単にするために１００を例示して説明する。）、０クロックから２４まではアップカウントを行い、２５クロックからから７４クロックまではダウンカウントを行い、７５クロックから１００クロックまではアップカウントを行う。このようにして、アップダウンカウンタはデジタル信号の三角波を生成する。このアップダウンカウンタの出力はＤＡコンバータに入力されてアナログ出力に変換され、ローパスフィルタで高周波成分が除去され、アナログ電圧の三角波が得られる。このアナログ電圧が電圧制御可変発振器に入力されることで図２に示されるような発振周波数の周波数拡散クロック信号ＳＳ−ＣＫが得られる。
【００４０】
このようにして生成された周波数拡散クロック信号ＳＳ−ＣＫは、表示制御回路３２に入力される。表示制御回路３２は、入力される入力画像信号ＳＳ−ＣＫに基づいてソース信号Ｓ−Ｄｒを生成するソース信号生成部と、ゲート信号Ｇ−Ｄｒを生成するゲート信号生成部とを備え、周波数拡散クロック信号ＳＳ−ＣＫに基づくタイミングでソース信号Ｓ−Ｄｒおよびゲート信号Ｇ−Ｄｒをソース駆動回路１２Ｓおよびゲート駆動回路１２Ｇに出力する。
【００４１】
表示制御回路３２は、従来一般に用いられてきた表示制御用の電子回路が適用できるので、その構成については詳細な説明を省略し、一例を簡単に述べる。表示制御回路３２は、ソース信号生成部でありかつゲート信号生成部でもあるタイミングコントローラ３４および電圧駆動回路３６などを備えている。また、入力画像信号Ｄａｔａには、水平同期信号Ｈｓｙｎｃ、垂直同期信号Ｖｓｙｎｃおよびデータ信号ＲＧＢなどが含まれているものとする。タイミングコントローラ３４は、入力される周波数拡散クロック信号ＳＳ−ＣＫと水平同期信号Ｈｓｙｎｃおよび垂直同期信号Ｖｓｙｎｃに基づいてゲート駆動回路１２Ｇおよびソース駆動回路１２Ｓにゲート信号Ｇ−Ｄｒおよびソース信号Ｓ−Ｄｒを出力するとともに、電圧駆動回路３６を制御してゲート駆動回路１２Ｇおよびソース駆動回路１２Ｓに駆動電圧を供給する。
【００４２】
これらの周波数拡散回路３０と表示制御回路３２は同期回路３８に接続されており、互いに同期して作動する。
【００４３】
ゲート駆動回路１２Ｇは、表示制御回路３２の電圧駆動回路３６から出力された駆動電圧をタイミングコントローラ３４が制御する所定の水平走査周期ＴＨに基づいて液晶表示パネル１０のゲート配線１６Ｇに印加して、そのゲート配線１６Ｇに接続された絵素ＰのＴＦＴ２６をオン状態にする。
【００４４】
ソース駆動回路１２Ｓは、表示制御回路３２の電圧駆動回路３６から出力された駆動電圧をゲート駆動回路１２Ｇによるゲート配線１６Ｇの走査に同期して表示内容に対応したソース電圧Ｖｓとしてソース配線１６Ｓに印加する。このソース駆動回路１２Ｓによるソース配線１６Ｓへのソース電圧Ｖｓの印加のタイミングはゲート駆動回路１２Ｇと同様にタイミングコントローラ３４によって制御される。
【００４５】
このような構成を備える液晶表示装置１によれば、上記第１の実施形態で示した表示装置の駆動方法により液晶表示パネル１０を駆動することができる。したがって、表示画面上の全ての絵素Ｐにおいて、液晶容量ＣＣＬにソース電圧Ｖｓが印加されて液晶容量ＣＣＬが充電される書き込み期間Ｔｏｎが同一になり、輝度ムラの発生を抑制することができる。また、周波数拡散クロック信号ＳＳ−ＣＫの周波数の変動周期Ｔｓｓと、水平走査周期ＴＨは同期しているので、輝度ムラが表示画面上で移動してしまうようなことがない。さらに、周波数拡散クロック信号ＳＳ−ＣＫに基づいて液晶表示装置１を制御しているので、液晶表示装置１からの放射電磁波のスペクトルを分散させてそのピークを低下させ、ＥＭＩの低減を図ることができる。
【００４６】
なお、このコントロール回路１４は、後述するコントロール回路基板５９上に搭載される。この際、ゲート信号生成部およびソース信号生成部を有する表示制御回路３２が１つの特定用途向け集積回路（ＡＳＩＣ）に内蔵され、周波数拡散回路３０は別の集積回路に内蔵されるようにすることもできるし、表示制御回路３２と周波数拡散回路３０が、１つのＡＳＩＣに内蔵されるようにすることもできる。
【００４７】
また、コントロール回路１４に周波数拡散クロック信号ＳＳ−ＣＫの変動周期Ｔｓｓと、水平走査周期ＴＨとのズレを検知する同期ズレ検知部をさらに備え、仮に変動周期Ｔｓｓと水平走査周期ＴＨとの同期が乱れてしまった場合は、この同期ズレ検知部により検知されたズレに基づいて変動周期Ｔｓｓと水平走査周期ＴＨとを同期させるようにするとさらに良い。
【００４８】
例えば、同期ズレ検知部が検知したズレが所定の閾値を越えたら、周波数拡散回路３０の周波数拡散クロック信号ＳＳ−ＣＫの周波数の変動をリセットするようにすると良い。または、周波数拡散クロック信号ＳＳ−ＣＫおよび／またはゲート信号Ｓ−Ｄｒを補正し、変動周期Ｔｓｓと、水平走査周期ＴＨを微調節して同期する周波数を探すようにしても良い。
【００４９】
次に、本発明の第２の実施形態の変形例について説明する。この液晶表示装置１ａは上記第２の実施形態で示した液晶表示装置のコントロール回路１４を変形したものであるので、ここではコントロール回路１４ａについてのみ説明する。
【００５０】
図８は、このコントロール回路１４ａの構成を示すブロック図である。コントロール回路１４ａは、外部から入力される基準クロック信号ＣＫの周波数を所定の変動周期Ｔｓｓで連続的に変動させて周波数拡散クロック信号ＳＳ−ＣＫを生成する周波数拡散クロック信号生成部である周波数拡散回路３０を備え、さらに、外部から入力される入力画像信号Ｄａｔａを周波数拡散クロック信号ＳＳ−ＣＫと同期させる同期回路３８と、周波数拡散クロック信号ＳＳ−ＣＫと同期した表示信号ＳＳ−Ｄａｔａおよび周波数拡散クロック信号ＳＳ−ＣＫに基づいてソース信号Ｓ−Ｄｒとゲート信号Ｄ−Ｄｒとを生成する表示制御回路３２ａとを備えている。
【００５１】
周波数拡散回路３０は、入力される基準クロック信号ＣＫの周波数を所定の変動周期Ｔｓｓで変動させて周波数拡散クロック信号ＳＳ−ＣＫを生成する。この周波数拡散クロック信号ＳＳ−ＣＫは同期回路４０に入力される。同期回路４０は、入力画像信号Ｄａｔａを周波数拡散クロック信号ＳＳ−ＣＫの周波数に同期させて出力する。表示制御回路３２ａはタイミングコントローラ３４ａと電圧駆動回路３６ａとを備えている。タイミングコントローラ３４ａは、入力される周波数拡散クロック信号ＳＳ−ＣＫと水平同期信号Ｈｓｙｎｃおよび垂直同期信号Ｖｓｙｎｃに基づいてゲート駆動回路１２Ｇおよびソース駆動回路１２Ｓにゲート信号Ｇ−Ｄｒおよびソース信号Ｓ−Ｄｒを出力するとともに、電圧駆動回路３６ａを制御してゲート駆動回路１２Ｇおよびソース駆動回路１２Ｓに駆動電圧を供給する。
【００５２】
これらの周波数拡散回路３０と表示制御回路３２ａは同期回路３８に接続されており、互いに同期して作動する。
【００５３】
このような構成を備える液晶表示装置によれば、上記第１の実施形態で示した表示装置の駆動方法により液晶表示パネルを駆動することができる。したがって、上記実施形態と同様の効果を奏することができる。
【００５４】
また、このコントロール回路１４は、後述するコントロール回路基板５９上に搭載されるが、ゲート信号生成部およびソース信号生成部が１つの特定用途向け集積回路（ＡＳＩＣ）に内蔵されるようにすることもできるし、表示制御回路３２と周波数拡散回路３０が、１つのＡＳＩＣに内蔵されるようにすることもできる。
【００５５】
さらに、コントロール回路１４に周波数拡散クロック信号ＳＳ−ＣＫの変動周期Ｔｓｓと、水平走査周期ＴＨとのズレを検知する同期ズレ検知部をさらに備え、仮に変動周期Ｔｓｓと水平走査周期ＴＨとの同期が乱れてしまった場合は、この同期ズレ検知部により検知されたズレに基づいて変動周期Ｔｓｓと水平走査周期ＴＨとを同期させるようにすると良い。
【００５６】
次に、この液晶表示装置１または１ａの全体構造について説明する。図９はこの液晶表示装置１または１ａの要部の構成を模式的に示した分解斜視図である。なお、説明の便宜上、図９の上方を表示装置の「前面側」と称し、下方を「背面側」と称する。
【００５７】
図９に示すように液晶表示装置１または１ａは、シャーシ５１と、反射シート５２と、光源１８と、サイドホルダ５４と、光学シート類５５と、フレーム５６と、液晶表示パネル１０と、ベゼル５８と、光源駆動回路基板６０と、光源駆動回路基板カバー６０ａと、コントロール回路基板５９と、コントロール回路基板カバー５９ａとを備える。
【００５８】
これらのシャーシ５１、反射シート５２、光源１８、サイドホルダ５４、光学シート類５５、フレーム５６、液晶表示パネル１０、ベゼル５８、光源駆動回路基板６０、光源駆動回路基板カバー６０ａ、コントロール回路基板カバー５９ａは、従来一般に知られている構成のものが適用できる。したがって以下簡単に説明し、詳細な説明は省略する。
【００５９】
シャーシ５１は略平板状の部材であり、たとえば金属の板材などによりプレス加工などを用いて形成される。
【００６０】
光源１８には、たとえば冷陰極管や熱陰極管などの蛍光管、キセノン管などの放電管、ＬＥＤなどの発光素子などといった、公知の各種光源が適用できる。ここでは、線状の冷陰極管が適用される構成を示す。
【００６１】
反射シート５２は、光源１８が発する光を乱反射する表面性状を有するシート状または板状の部材である。この反射シート５２は、たとえば発泡ＰＥＴ（ポリエチレンテレフタレート）などにより形成される。
【００６２】
サイドホルダ５４は、後述する光学シート類５５を配設するためのスペーサなどとして機能する部材である。このサイドホルダ５４は略棒状の部材であり、たとえば樹脂材料によって一体に形成される。
【００６３】
光学シート類５５は、光源１８が発する光の特性を調整するシート状の部材もしくは板状の部材、またはこのような部材の集合をいうものとする。光学シート類５５には、たとえば拡散板、拡散シート、偏光反射シート、レンズシートなどが含まれる。そして一般的には、これらが積み重ねられて用いられる。
【００６４】
フレーム５６は、光学シート類５５や液晶表示パネル１０などを保持および／または保護する機能などを有する部材である。このフレーム５６は、開口した略四辺形の形状を有し、たとえば樹脂材料などにより一体に形成される構成、樹脂材料などにより形成される複数の部品を組み合わせる構成、金属の板材によりプレス加工などを用いて形成される構成、金属の板材によりプレス加工などを用いて形成される部品などを組み合わせる構成、などが適用できる。
【００６５】
光源駆動回路基板６０は、前記光源駆動回路２０などが構築された回路基板である。光源駆動回路基板カバー６０ａは、光源駆動回路基板６０を覆う板状の部材であり、たとえば金属の板材などにより形成される。
【００６６】
液晶表示パネル１０は、図９に示すように、その外周縁にはゲート駆動回路１２Ｇが実装された回路基板１２ｇａ（フィルム状のものも含む）や、ソース駆動回路１２Ｓが実装された回路基板１２ｓａ（フィルム状のものも含む）が装着される。
【００６７】
ベゼル５８は、液晶表示パネル１０を保護および／または保持するなどの機能を有する部材である。このベゼル５８は開口した略四辺形の形状を有する。たとえば樹脂材料により一体に形成される構成、樹脂材料などにより形成された部品を組み合わせる構成、金属の板材によりプレス加工などを用いて形成される構成、金属の板材によりプレス加工などを用いて形成された部材を組み合わせる構成、などが適用できる。
【００６８】
コントロール回路基板５９は、コントロール回路１４または１４ａなどが構築される回路基板である。コントロール回路基板カバー５９ａは、コントロール回路基板５９を覆う部材であり、たとえば金属の板材などにより形成される。
【００６９】
このような部材を備える表示装置１の組み付け構造は次のとおりである。
【００７０】
まずシャーシ５１の前面側に反射シート５２を配設する。そしてその前面側に光源１８を配設し、各光源１８の端部を覆うようにサイドホルダ５４を配設する。その前面側に光学シート類５５を配設し、さらにその前面側にフレーム５６を装着する。そしてフレーム５６の前面側に液晶パネル１５を配設し、その前面側にベゼル５８を装着する。
【００７１】
また、シャーシ５１の背面側には光源駆動回路基板６０とコントロール回路基板５９とを配設する。そして、光源駆動回路基板６０と各光源１８を電気的に接続するとともに、コントロール回路基板５９と液晶表示パネル１０に装着される回路基板とを電気的に接続する。そして光源駆動回路基板６０を覆うように光源駆動回路基板カバー１６ａを装着し、コントロール回路基板５９を覆うようにコントロール回路基板カバー５９ａを装着する。
【００７２】
次に本発明の実施形態にかかるテレビ受信機について説明する。図１０は、本発明の実施形態にかかるテレビ受信機２の概略構成を示した分解斜視図である。
【００７３】
図１０に示すようにこのテレビ受信機２は、本発明の実施形態にかかる表示装置１または１ａと、チューナ７１と、拡声手段７３と、電源７２と、キャビネット７４ａ，７４ｂと、支持部材７５とを備える。チューナ７１、拡声手段７３、電源７２、キャビネット７４ａ、７４ｂ、支持部材７５は、従来一般に用いられるものが適用できるから、それぞれ簡単に説明し、詳細な説明は省略する。
【００７４】
チューナ７１は、受信した電波から所定のチャンネルの画像信号と音声信号とを生成する。このチューナ７１には、従来一般の地上波チューナ（アナログ地上波用のチューナ、デジタル地上波用のチューナ、またはこれら双方）ＢＳチューナ、ＣＳチューナなどが適用できる。拡声手段７３は、チューナ７１が生成した音声信号に基づいて音声を発する。この拡声手段７３には、一般的なスピーカなどが適用できる。電源７２は、本発明の実施形態にかかる表示装置１、チューナ７１、拡声手段７３などに対して電力を供給することができる。
【００７５】
そして、本発明の実施形態にかかる表示装置１、チューナ７１、拡声手段７３、電源７２が、キャビネット７４ａ、７４ｂに収納され、支持部材７５により支持される。図１２は、キャビネットが前面側キャビネット７４ａと背面側キャビネット７４ｂからなり、これらの間に表示装置１、チューナ７１、拡声手段７３、電源７２が収納される構成を示す。このほか、チューナ７１、拡声手段７３、電源７２が、表示装置１に組み付けられる構成であっても良い。
【００７６】
このように構成された本発明に係るテレビジョン受像機２によれば、液晶表示装置１または１ａが、周波数拡散クロック信号ＳＳ−ＣＫに同期して駆動されているので、放射電磁波のスペクトルを分散させてそのピークを低下させてＥＭＩの低減を図ることができる。さらに、周波数拡散クロック信号ＳＳ−ＣＫの変動周期Ｔｓｓと水平走査周期ＴＨとを同期させているため輝度ムラを抑制し、また、表示画面上で輝度ムラが移動するように発生する不具合を防止することができる。
【００７７】
以上、本発明の実施形態について説明したが、本発明はこうした実施形態に何ら限定されるものではなく、本発明の趣旨を逸脱しない範囲において、種々なる態様で実施できることはもちろんである。例えば、上記実施形態では液晶表示装置の例を用いて説明したが、無機または有機エレクトロルミネッセンスや発光ダイオードを利用した表示装置、プラズマディスプレイなどの種々のホールド型の表示装置が適用できる。
【図面の簡単な説明】
【００７８】
【図１】本発明の実施形態に係る表示装置の駆動方法により駆動される液晶表示装置の構成を示すブロック図である。
【図２】周波数拡散クロック信号の変動周期と、ゲート電圧の変化のタイミングを示す図である。
【図３】図１に示した液晶表示装置の１絵素分の等価回路を示す図である。
【図４】図３に示した絵素の駆動時における各電圧の変化の概略を示す図である。
【図５】本発明の第１の実施形態に係る液晶表示装置の駆動方法の第１の変形例を示すである。
【図６】本発明の第１の実施形態に係る液晶表示装置の駆動方法の第２の変形例を示すである。
【図７】本発明の第２の実施形態に係る表示装置のコントロール回路の構成を示すブロック図である。
【図８】コントロール回路の変形例を示すブロック図である。
【図９】図１に示した液晶表示装置の構成を模式的に示した分解斜視図である。
【図１０】本発明の実施形態にかかるテレビ受信機の概略構成を示した分解斜視図である。
【図１１】従来の液晶表示装置の１絵素分の等価回路を示す図である。
【図１２】クロック信号と絵素に印加される各電圧の変化のタイミングを示す図である。
【符号の説明】
【００７９】
１ 液晶表示装置
２ テレビ受像機
１０ 液晶表示パネル
１２Ｓ ソース駆動回路
１２Ｇ ゲート駆動回路
１４ コントロール回路
１６Ｓ ソース配線
１６Ｇ ゲート配線
２２ 絵素電極
２４ 対向電極
３０ 周波数拡散回路
３２ 表示制御回路
３４ タイミングコントローラ
３６ 電圧駆動回路
３８ 同期回路
Ｐ 絵素
ＣＫ 基準クロック信号
ＳＳ−ＣＫ  周波数拡散クロック信号
Ｄａｔａ  入力画像信号
ＴＨ 水平走査期間
ＴＶ 垂直走査期間
Ｔｏｎ 書き込み期間
Ｔｓｓ 変動周期
【図１】
2008216606.tif 000003
【図２】
2008216606.tif 000004
【図３】
2008216606.tif 000005
【図４】
2008216606.tif 000006
【図５】
2008216606.tif 000007
【図６】
2008216606.tif 000008
【図７】
2008216606.tif 000009
【図８】
2008216606.tif 000010
【図９】
2008216606.tif 000011
【図１０】
2008216606.tif 000012
【図１１】
2008216606.tif 000013
【図１２】
2008216606.tif 000014